(57)【特許請求の範囲】
【請求項１】
調光コントローラから電波で送信されてくる調光コマンドに従って点灯状態を変える照明器具であって、
光源と、
前記調光コントローラと通信する無線通信部と、
前記調光コントローラの識別子を記憶するための記憶部と、
前記記憶部に前記識別子が記憶されているペアリング状態である場合に、前記無線通信部が前記調光コントローラから送信されてくる前記調光コマンドを受信すると、受信した前記調光コマンドに従って前記光源を調光する制御部とを備え、
前記制御部は、さらに、前記照明器具が前記調光コントローラと通信できる状態にあるか否かを確認するための通信確認モードを有し、前記通信確認モードでは、前記ペアリング状態であるか否かに拘わらず、前記無線通信部が前記調光コントローラから送信されてくる前記照明器具と前記調光コントローラとの通信を確認するための通信確認コマンドを受信すると、前記光源を調光することで前記照明器具を所定の点灯状態に制御し、
前記所定の点灯状態は、前記照明器具が第１の明るさで点灯する状態と、前記照明器具が前記第１の明るさよりも暗い第２の明るさで点灯する状態とを交互に繰り返す状態である
照明器具。
【請求項２】
さらに、操作コントローラから赤外線で送信されてくるコマンドを受信する赤外線受信部を備え、
前記制御部は、前記赤外線受信部が前記操作コントローラから送信されてくる、前記通信確認モードへの遷移を指示するモード遷移コマンドを受信した場合に、前記通信確認モードに遷移する
請求項１記載の照明器具。
【請求項３】
前記通信確認コマンドには、前記照明器具を第１の明るさで点灯させるための調光コマンドと、前記照明器具を前記第２の明るさで点灯させるための調光コマンドとのセットが複数含まれる
請求項１記載の照明器具。
【請求項４】
請求項２記載の照明器具と、
前記照明器具に対して、前記照明器具の点灯状態を変えるための調光コマンドを電波で送信する調光コントローラと、
前記照明器具に対して、前記照明器具が前記調光コントローラと通信できる状態にあるか否かを確認するための、通信確認モードへの遷移を指示するコマンドを赤外線で送信する操作コントローラとを備える
照明システム。 
【発明の詳細な説明】
【技術分野】
【０００１】
本発明は、照明器具及び照明システムに関し、特に、調光コントローラから電波で送信されてくる調光コマンドに従って点灯状態を変える照明器具等に関する。
【背景技術】
【０００２】
従来、調光コントローラ（あるいは、電波リモコン）から電波で送信されてくる調光コマンドに従って点灯状態を変える照明器具が提案されている（例えば、特許文献１参照）。
【０００３】
特許文献１の技術では、照明器具は、電波リモコンの電波送信部から送信される、電波リモコンと照明器具とのペアリング（電波リモコンのＩＤを照明器具に記憶させる通信接続処理）の開始要求信号を受信すると、ペアリング待機状態に移行する。さらに、照明器具は、電波リモコンの赤外線送信部から送られる、ペアリングの解除要求信号を受信すると、ペアリング待機状態を解除する。これによって、電波リモコンからの電波が届く範囲に設置された照明器具を暫定的にペアリングの対象とし、それらの照明器具から、所望の照明器具をペアリングの対象から除外できるので、電波リモコンと照明器具とのペアリングが簡単になる。
【先行技術文献】
【特許文献】
【０００４】
【特許文献１】特開２０１２−８９２７７号公報
【発明の概要】
【発明が解決しようとする課題】
【０００５】
しかしながら、特許文献１の技術では、多くの照明器具が設置される環境下では、ペアリングの作業が困難になるという問題がある。特許文献１の技術では、電波リモコンからの電波が届く範囲に設置された全ての照明器具がペアリングの対象として反応する。そのために、ペアリング時に、電波リモコンが設置された空間（フロア、部屋、又は、建物）と異なる空間に設置された意図しない照明器具等も反応してしまう。その結果、意図しない照明器具がペアリングの対象に含まれてしまい、ペアリングの作業が煩雑になる。
【０００６】
また、特許文献１の技術では、何らかの原因で、電波リモコンからの電波に対して照明器具が応答しなくなった場合に、ペアリングができていないのか、あるいは、そもそも電波リモコンからの電波が照明器具に届いていないのを判別するのが困難である。そのために、不具合の原因究明及び復旧に多大な時間を要し、結果として、ペアリングに多大な時間を要してしまう。
【０００７】
そこで、本発明は、多くの照明器具が設置される環境下であっても、意図した照明器具を対象として確実にペアリングを行うことができる照明器具及び照明システムを提供することを目的とする。
【課題を解決するための手段】
【０００８】
上記目的を達成するために、本発明に係る照明器具の一形態は、調光コントローラから電波で送信されてくる調光コマンドに従って点灯状態を変える照明器具であって、光源と、前記調光コントローラと通信する無線通信部と、前記調光コントローラの識別子を記憶するための記憶部と、前記記憶部に前記識別子が記憶されているペアリング状態である場合に、前記無線通信部が前記調光コントローラから送信されてくる前記調光コマンドを受信すると、受信した前記調光コマンドに従って前記光源を調光する制御部とを備え、前記制御部は、さらに、前記照明器具が前記調光コントローラと通信できる状態にあるか否かを確認するための通信確認モードを有し、前記通信確認モードでは、前記ペアリング状態であるか否かに拘わらず、前記無線通信部が前記調光コントローラから送信されてくる前記照明器具と前記調光コントローラとの通信を確認するための通信確認コマンドを受信すると、前記光源を調光することで前記照明器具を所定の点灯状態に制御し、前記所定の点灯状態は、前記照明器具が第１の明るさで点灯する状態と、前記照明器具が前記第１の明るさよりも暗い第２の明るさで点灯する状態とを交互に繰り返す状態である。
【０００９】
また、本発明に係る照明システムの一形態は、上記照明器具と、前記照明器具に対して、前記照明器具の点灯状態を変えるための調光コマンドを電波で送信する調光コントローラと、前記照明器具に対して、前記照明器具が前記調光コントローラと通信できる状態にあるか否かを確認するための、通信確認モードへの遷移を指示するコマンドを赤外線で送信する操作コントローラとを備える。
【発明の効果】
【００１０】
本発明に係る照明器具及び照明システムにより、多くの照明器具が設置される環境下であっても、意図した照明器具を対象として確実にペアリングを行うことができる。
【図面の簡単な説明】
【００１１】
【図１】実施の形態における照明システムの構成を示す外観図
【図２】図１に示された調光コントローラ及び照明器具の構成を示すブロック図
【図３】図２に示された照明器具の制御部の動作モードに関する状態遷移図
【図４】実施の形態における照明システムにおける照明器具の動作を示すフローチャート
【図５】実施の形態の照明システムにおける調光コントローラ、照明器具及び操作コントローラ間のやりとりを示す通信シーケンス図
【発明を実施するための形態】
【００１２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１３】
図１は、実施の形態における照明システム１０の構成を示す外観図である。照明システム１０は、調光可能な照明光を提供するシステムであり、調光コントローラ２０、照明器具３０、及び、操作コントローラ４０を備える。なお、本図では、照明器具３０が１つだけ図示されているが、同じ空間又は異なる空間に他の照明器具が設けられていてもよい。
【００１４】
調光コントローラ２０は、照明器具３０に対して、照明器具３０の点灯状態を変えるための調光コマンドを電波で送信する操作卓（電波リモコン）であり、例えば、部屋の壁等に固定される。
【００１５】
操作コントローラ４０は、照明器具３０に対して各種設定を行うためのコマンドを赤外線で送信する操作卓（赤外線リモコン）であり、例えば、可搬型端末である。
【００１６】
照明器具３０は、調光コントローラ２０から電波で送信されてくる調光コマンドに従って点灯状態を変える器具であり、例えば、ＬＥＤ照明装置である。
【００１７】
なお、照明システム１０が複数の照明器具で構成される場合には、操作コントローラ４０は、複数の照明器具のそれぞれに対応して複数設けられてもよいし、共通の１つだけ設けられてもよい。
【００１８】
図２は、図１に示された調光コントローラ２０及び照明器具３０の構成を示すブロック図である。
【００１９】
調光コントローラ２０は、操作部２１、記憶部２２、制御部２３及び無線通信部２４を備える。
【００２０】
操作部２１は、調光コントローラ２０への操作指示を受け付ける入力装置であり、例えば、調光レベルを上げるためのボタン、調光レベルを下げるためのボタン、各種設定を行うための設定ボタン等である。
【００２１】
記憶部２２は、制御プログラム、ペアリング情報（制御対象となる照明器具の識別子）、現在の調光レベル等の各種データを記憶する不揮発性の記憶装置であり、例えば、ＥＥＰＲＯＭである。
【００２２】
無線通信部２４は、アンテナ２５を介して照明器具３０との間で電波による送受信をする通信インタフェースであり、例えば、弱電の無線モジュールである。
【００２３】
制御部２３は、無線通信部２４を介して照明器具３０に調光コマンドを送信することによって照明器具３０を調光する制御を行う制御回路である。制御部２３は、例えば、記憶部２２に格納された制御プログラムを実行するプロセッサ、ＲＡＭ、入出力ポート等を有する１チップマイクロコンピュータである。
【００２４】
この制御部２３は、操作部２１が受け付けた操作指示（調光指示）に従って照明器具３０に調光コマンドを送信するだけでなく、操作部２１が受け付けた操作指示に従って、照明器具３０に通信確認コマンドを送信する。通信確認コマンドは、調光コントローラ２０からの電波が照明器具３０に届いているか（調光コントローラ２０と照明器具３０とが無線通信をできる状態にあるか）否かを判別するためのコマンドである。本実施の形態では、通信確認コマンドには、照明器具３０を第１の明るさで点灯させるための調光コマンドと、照明器具３０を第１の明るさよりも暗い第２の明るさで点灯させるための調光コマンドとのセットが複数（例えば、一定時間の繰り返し）含まれる。
【００２５】
また、制御部２３は、操作部２１によってペアリング開始操作（例えば、設定ボタンを５秒以上の間押し続ける操作）が行われると、自機器の識別子を、無線通信部２４を介して周期的に送信する。また、操作部２１によってペアリング完了操作（例えば、再度、設定ボタンを５秒以上の間押し続ける操作）が行われると、制御部２３は、自機器の識別子の送信を終了する。
【００２６】
なお、調光コントローラ２０には、さらに、ＬＥＤ等で構成される表示部が備えられてもよい。その表示部は、制御部２３による制御の下で、現在の調光レベルに対応する表示をしてもよいし、操作部２１の操作に対応する表示をしてもよい。
【００２７】
照明器具３０は、アンテナ３１、無線通信部３２、赤外線受信部３３、制御部３４、記憶部３５及び光源３６を備える。
【００２８】
無線通信部３２は、アンテナ３１を介して調光コントローラ２０との間で電波による送受信をする通信インタフェースであり、例えば、弱電の無線モジュールである。
【００２９】
赤外線受信部３３は、操作コントローラ４０から赤外線で送信されてくるコマンドを受信する通信インタフェースであり、例えば、赤外線受光器である。
【００３０】
記憶部３５は、調光コントローラ２０の識別子を含む各種データを記憶するための記憶装置であり、例えば、ＥＥＰＲＯＭである。
【００３１】
光源３６は、制御部３４による制御の下で照明光を発する光源であり、例えば、調光回路及びＬＥＤ等で構成される。
【００３２】
制御部３４は、無線通信部３２を介して調光コントローラ２０から受信した調光コマンド、及び、赤外線受信部３３を介して操作コントローラ４０から受信したコマンドに従って、光源３６を制御する制御回路である。制御部３４は、例えば、制御プログラムを保持するＲＯＭ、その制御プログラムを実行するプロセッサ、ＲＡＭ、入出力ポート等を有する１チップマイクロコンピュータである。
【００３３】
この制御部３４は、選択的にとり得る動作モードとして、通常モードと通信確認モードとを有する。図３は、制御部３４の動作モードに関する状態遷移図を示す。ここでは、通常モードＳ１と通信確認モードＳ２とを含む状態遷移図が示されている。
【００３４】
通常モードＳ１は、基本的に、調光コントローラ２０から送信されてくる調光コマンドに従って光源を調光するペアリングされた動作モードと、工場出荷時でペアリングがされていない照明器具３０に電源が投入された際の初期状態の場合がある。制御部３４は、通常モードＳ１では、記憶部３５に調光コントローラ２０識別子が記憶されたペアリング状態である場合に、無線通信部３２が調光コントローラ２０から送信されてくる調光コマンドを受信すると、受信した調光コマンドに従って光源３６を調光する。つまり、制御部３４は、ペアリングが完了していることを条件として、記憶部３５に記憶された識別子が示す調光コントローラ２０から送信されてくる調光コマンドに従って光源３６を調光する。ペアリングされていない状態では、調光コントローラ２０では動作せず、赤外のコントローラである操作コントローラ４０でしか動作しない。
【００３５】
なお、ペアリングの処理についても、通常モードＳ１において行われる。つまり、制御部３４は、調光コントローラ２０と所定の手順で通信できた場合に、調光コントローラ２０の識別子を記憶部３５に格納する。例えば、以下の手順によって、ペアリングが行われる。つまり、照明器具３０の電源が投入されると、制御部３４は、記憶部３５に識別子が記憶されていない（ペアリングがされていない状態である）ことを確認すると、光源３６を制御してフル点灯（最大の明るさで点灯）させる。続いて、調光コントローラ２０でペアリング開始操作が行われ、調光コントローラ２０の識別子が調光コントローラ２０から照明器具３０に送信されてくる。その識別子を、無線通信部３２を介して受信した制御部３４は、操作コントローラ４０からの指示を受け、調光コントローラ２０から受信した識別子を記憶部３５に記憶させた後に、光源３６を制御して調光下限（調光できる最小の明るさ）で点灯させる。このような手順でペアリングが完了する。
【００３６】
一方、通信確認モードＳ２は、照明器具３０が調光コントローラ２０と通信できる状態にあるか否かを操作者が確認するための動作モードである。制御部３４は、通常モードＳ１において赤外線受信部３３が操作コントローラ４０から送信されてくる、通信確認モードＳ２への遷移を指示するモード遷移コマンドを受信した場合に、通常モードＳ１から通信確認モードＳ２に遷移する。通信確認モードＳ２では、制御部３４は、ペアリング状態であるか否かに拘わらず、次の処理を行う。つまり、制御部３４は、無線通信部３２が調光コントローラ２０から送信されてくる、照明器具３０と調光コントローラ２０との通信を確認するための通信確認コマンドを受信すると、光源３６を調光することで照明器具３０を所定の点灯状態に制御する。ここで、所定の点灯状態とは、例えば、照明器具３０が第１の明るさで点灯する状態と、照明器具３０が第１の明るさよりも暗い第２の明るさで点灯する状態とを交互に繰り返す状態である。
【００３７】
本実施の形態では、調光コントローラ２０から送信されてくる通信確認コマンドには、照明器具３０を第１の明るさで点灯させるための調光コマンドと、照明器具３０を第２の明るさで点灯させるための調光コマンドとのセットが複数含まれる。よって、通信確認モードＳ２では、このような通信確認コマンドを受信した制御部３４は、所定の点灯状態として、照明器具３０が第１の明るさで点灯する状態と第１の明るさよりも暗い第２の明るさで点灯する状態とを交互に繰り返すように光源３６を制御する。ここで、第１の明るさは、例えば、フル点灯であり、第２の明るさは、例えば、調光下限の点灯である。
【００３８】
このような通信確認モードＳ２での照明器具３０の動作により、操作コントローラ４０によって通信確認モードＳ２に遷移させた照明器具について、ペアリング状態に拘わらず、調光コントローラ２０からの電波が照明器具に届いている否かを判別できる。つまり、通信確認モードＳ２に遷移させた照明器具が所定の点灯状態になった場合には、調光コントローラ２０からの電波がその照明器具に届いていると判別できる。一方、通信確認モードＳ２に遷移させた照明器具が所定の点灯状態にならない場合には、調光コントローラ２０からの電波がその照明器具に届いていないと判別できる。
【００３９】
よって、ペアリング時には、まず、このような通信確認を行い、調光コントローラ２０からの電波が確実に届いていることを確認できた照明器具についてだけペアリングを行うことで、意図しない照明器具とのペアリングが回避される。さらに、調光コントローラ２０からの電波が届きにくい場所に設置された照明器具との不安定なペアリングが回避され、確実なペアリングが実現される。
【００４０】
また、調光コントローラ２０を操作しても照明器具が応答しないという状況が生じても、少なくとも調光コントローラ２０からの電波が照明器具に届いているか否かを判別でき、不具合の原因究明及び復旧に要する時間が短縮化され、ペアリングの作業が短縮化される。
【００４１】
なお、通信確認モードＳ２において所定の時間（例えば、通信確認モードＳ２に遷移してから１分）が経過すると、制御部３４は、通信確認モードＳ２から通常モードＳ１に遷移する。
【００４２】
次に、以上のように構成された本実施の形態における照明システム１０の動作について、説明する。
【００４３】
図４は、本実施の形態における照明システム１０における照明器具３０の動作を示すフローチャートである。照明器具３０において、いま、制御部３４は、通常モードＳ１にいるとする。この状態では、制御部３４は、無線通信部３２及び赤外線受信部３３のいずれかがコマンドを受信したか否かを監視している（Ｓ１０）。この監視には、赤外線受信部３３が操作コントローラ４０から送信されてくる、通信確認モードＳ２へのモード遷移コマンドを受信したか否かの監視が含まれる。本図では、通信確認モードＳ２へのモード遷移コマンドの監視に着目してステップＳ１０が図示されている。
【００４４】
赤外線受信部３３が通信確認モードＳ２へのモード遷移コマンドを受信すると（Ｓ１０でＹｅｓ）、その受信を検知した制御部３４は、通常モードＳ１から通信確認モードＳ２に遷移する（Ｓ１１）。このとき、制御部３４は、後で経過時間を参照できるように、内蔵のタイマを開始させる。
【００４５】
通信確認モードＳ２に遷移した制御部３４は、無線通信部３２が調光コントローラ２０から送信されてくる通信確認コマンドを受信したか否かを監視する（Ｓ１２）。その結果、無線通信部３２が通信確認コマンドを受信した場合には（Ｓ１２でＹｅｓ）、その受信を検知した制御部３４は、光源３６を調光することで照明器具３０を所定の点灯状態に制御する（Ｓ１３）。所定の点灯状態とは、例えば、照明器具３０が第１の明るさで点灯する状態と、照明器具３０が第１の明るさよりも暗い第２の明るさで点灯する状態とを交互に繰り返す状態である。一方、無線通信部３２が通信確認コマンドを受信しない場合には（Ｓ１２でＮｏ）、制御部３４は、このような制御（Ｓ１３）を行わない。
【００４６】
続いて、制御部３４は、内蔵のタイマを参照することで、通信確認モードＳ２に遷移してから所定の時間が経過したか否かを判断する（Ｓ１４）。その結果、所定の時間が経過したと判断した場合には（Ｓ１４でＹｅｓ）、制御部３４は、通信確認モードＳ２から通常モードＳ１に遷移する（Ｓ１５）。一方、所定の時間が経過していないと判断した場合には（Ｓ１４でＮｏ）、制御部３４は、ステップＳ１２〜Ｓ１３の処理を繰り返す。
【００４７】
図５は、本実施の形態の照明システム１０における調光コントローラ２０、照明器具３０及び操作コントローラ４０間のやりとりを示す通信シーケンス図である。操作コントローラ４０において、通信確認モードＳ２への遷移を指示する操作が行われると（Ｓ２０）、操作コントローラ４０は、照明器具３０に、通信確認モードＳ２へのモード遷移コマンドを送信する（Ｓ２１）。
【００４８】
モード遷移コマンドを受信した照明器具３０では、制御部３４は、通常モードＳ１から通信確認モードＳ２に遷移し（Ｓ２２）、調光コントローラ２０から送信されてくる通信確認コマンドを待ち受ける状態となる。このとき、制御部３４は、後で経過時間を参照できるように、内蔵のタイマを開始させる。
【００４９】
一方、調光コントローラ２０において、操作部２１を用いて通信確認を指示する操作（例えば、操作部２１に含まれる設定ボタンを３回押す操作）が行われたとする（Ｓ２３）。すると、その操作を検知した制御部２３は、一定時間（例えば、３秒間）、照明器具３０に通信確認コマンドを送信する（Ｓ２４、Ｓ２６、Ｓ２８、Ｓ３０、Ｓ３２、Ｓ３４）。通信確認コマンドには、照明器具３０を第１の明るさで点灯させるための調光コマンドと、照明器具３０を第１の明るさよりも暗い第２の明るさで点灯させるための調光コマンドとのセットが複数含まれる。ここでは、照明器具３０を第１の明るさで点灯させるための調光コマンドは、照明器具３０をフル点灯させるためのコマンド（「１００％調光コマンド」）である（Ｓ２４、Ｓ２８、Ｓ３２）。また、照明器具３０を第２の明るさで点灯させるための調光コマンドは、照明器具３０を調光下限で点灯させるためのコマンド（「１％調光コマンド」）である（Ｓ２６、Ｓ３０、Ｓ３４）。このような２種類の調光コマンドが交互に繰り返され、通信確認コマンドとして、調光コントローラ２０から照明器具３０に送信される。
【００５０】
通信確認モードＳ２にいる照明器具３０では、第１の明るさで点灯させるための調光コマンド（「１００％調光コマンド」）を受信すると、制御部３４は、受信した調光コマンドに従って光源３６を第１の明るさ（フル点灯）に調光する（Ｓ２５、Ｓ２９、Ｓ３３）。一方、第２の明るさで点灯させるための調光コマンド（「１％調光コマンド」）を受信すると、制御部３４は、受信した調光コマンドに従って光源３６を第２の明るさ（調光下限の点灯）に調光する（Ｓ２７、Ｓ３１、Ｓ３５）。このようにして、照明器具３０は、第１の明るさで点灯（ここでは、フル点灯）する状態と、第１の明るさよりも暗い第２の明るさで点灯（ここでは、調光下限で点灯）する状態とを交互に繰り返す。
【００５１】
制御部３４は、内蔵のタイマを参照することで、通信確認モードＳ２に遷移してから所定の時間（例えば、１分）が経過したことを検知すると、通信確認モードＳ２から通常モードＳ１に遷移する（Ｓ３６）。
【００５２】
以上のように、本実施の形態の照明システム１０における照明器具３０は、調光コントローラ２０から電波で送信されてくる調光コマンドに従って点灯状態を変える照明器具３０であって、光源３６、無線通信部３２、記憶部３５及び制御部３４を備える。無線通信部３２は、調光コントローラ２０と通信する。記憶部３５は、調光コントローラ２０の識別子を記憶する。制御部３４は、記憶部３５に識別子が記憶されているペアリング状態である場合に、無線通信部３２が調光コントローラ２０から送信されてくる調光コマンドを受信すると、受信した調光コマンドに従って光源３６を調光する。ここで、制御部３４は、さらに、照明器具３０が調光コントローラ２０と通信できる状態にあるか否かを確認するための通信確認モードＳ２を有し、通信確認モードＳ２では、ペアリング状態であるか否かに拘わらず、無線通信部３２が調光コントローラ２０から送信されてくる照明器具３０と調光コントローラ２０との通信を確認するための通信確認コマンドを受信すると、光源３６を調光することで照明器具３０を所定の点灯状態に制御する。
【００５３】
これにより、操作コントローラ４０によって通信確認モードＳ２に遷移した照明器具は、ペアリング状態に拘わらず、調光コントローラ２０からの通信確認コマンドを受信した場合には、所定の点灯状態となる。よって、通信確認モードＳ２に遷移させた照明器具が所定の点灯状態になった場合には、調光コントローラ２０からの電波がその照明器具に届いていると判別できる。一方、通信確認モードＳ２に遷移させた照明器具が所定の点灯状態にならない場合には、調光コントローラ２０からの電波がその照明器具に届いていないと判別できる。
【００５４】
よって、ペアリング時には、まず、このような通信確認を行い、調光コントローラ２０からの電波が確実に届いていることを確認できた照明器具についてだけペアリングを行うことで、意図しない照明器具とのペアリングが回避される。さらに、調光コントローラ２０からの電波が届きにくい場所に設置された照明器具との不安定なペアリングが回避され、調光コントローラ２０による安定した調光が確保される。
【００５５】
また、調光コントローラ２０を操作しても照明器具が応答しないという状況が生じても、少なくとも調光コントローラ２０からの電波が照明器具に届いているか否かを判別でき、不具合の原因究明及び復旧に要する時間が短縮化され、ペアリングの作業が短縮化される。
【００５６】
また、通信確認モードＳ２に遷移した照明器具だけが調光コントローラとの通信確認の対象になるので、電波が届く範囲に設置された全ての照明器具が反応する従来の技術と異なり、通信確認したい照明器具を限定することができる。例えば、調光コントローラが設置されたフロアと同じフロア（あるいは、異なるフロア）に設置された照明器具だけを通信確認の対象に指定することができる。
【００５７】
よって、本実施の形態における照明器具及び照明システムでは、照明器具を設置する現場において、調光コントローラからの電波が届くか否かの確認とペアリング作業とを切り分けて作業を行うことができる。これにより、多くの照明器具が設置される環境下であっても、意図した照明器具を対象として確実にペアリングを行うことができる。
【００５８】
また、上記実施の形態では、照明器具３０は、操作コントローラ４０から赤外線で送信されてくるコマンドを受信する赤外線受信部３３を備える。そして、制御部３４は、赤外線受信部３３が操作コントローラ４０から送信されてくる、通信確認モードＳ２への遷移を指示するモード遷移コマンドを受信した場合に、通信確認モードＳ２に遷移する。
【００５９】
これにより、操作コントローラ４０を用いた簡単な操作で、通信確認したい照明器具を指定することができる。
【００６０】
また、上記実施の形態では、上記所定の点灯状態は、照明器具３０が第１の明るさで点灯する状態と、照明器具３０が第１の明るさよりも暗い第２の明るさで点灯する状態とを交互に繰り返す状態である。
【００６１】
これにより、調光コントローラ２０からの電波が照明器具３０に届いている場合には、照明器具３０の明るさが変化するので、通信確認の結果を目視で容易に判別できる。
【００６２】
また、上記実施の形態では、通信確認コマンドには、照明器具３０を第１の明るさで点灯させるための調光コマンドと、照明器具３０を第２の明るさで点灯させるための調光コマンドとのセットが複数含まれる。
【００６３】
これにより、通信確認モードでは、照明器具３０は、調光コントローラ２０から送信されてくる調光コマンドに従って光源３６を調光するだけで、明るい点灯状態と暗い点灯状態とを交互に繰り返す。よって、通信確認モードにおける確認状態が容易に実現される。また、複数の種類の調光コマンドが調光コントローラ２０から照明器具３０に届き、かつ、照明器具３０で実行されていることが目視で確認でき、確実な通信確認が可能となる。
【００６４】
以上、本発明に係る照明器具及び照明システムについて、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００６５】
例えば、上記実施の形態では、通信確認は、１つの調光コントローラ２０と１つの照明器具３０との間で行われたが、これに限られず、１つの調光コントローラと複数の照明器具との間、又は、複数の調光コントローラと１つ以上の照明器具との間で行われてもよい。１の調光コントローラと複数の照明器具との間で通信確認が行われる場合には、通信確認の対象となる複数の照明器具のそれぞれを通信確認モードに遷移させておき、その後、１つの調光コントローラから複数の照明器具に向けて通信確認コマンドを同報する。これにより、複数の照明器具を指定して同時に通信確認を行うことができ、通信確認の作業時間が短縮化される。
【００６６】
また、上記実施の形態では、照明器具３０を通信確認モードに遷移させた後に、調光コントローラ２０から通信確認コマンドを送信したが、この手順に限定されない。調光コントローラ２０から通信確認コマンドを送信してから、照明器具３０を通信確認モードに遷移させてもよい。この手順であっても、照明器具３０は、通信確認モードに遷移した後に調光コントローラ２０から通信確認コマンドが送られてくる限り、その通信確認コマンドに応答して所定の点灯状態になるからである。
【００６７】
また、上記実施の形態では、照明器具３０は、赤外線受信部３３を備え、操作コントローラ４０から送信されてくるモード遷移コマンドが赤外線受信部３３で受信された場合に、通信確認モードに遷移したが、これに限定されない。照明器具３０は、照明器具３０に備えられた操作スイッチ又は操作ボタンが手動で操作された場合に、通信確認モードに遷移してもよい。よって、照明器具３０は、必ずしも赤外線受信部３３を備えなくてもよい。
【００６８】
また、上記実施の形態では、通信確認コマンドには、照明器具３０を第１の明るさで点灯させるための調光コマンドと、照明器具３０を第１の明るさよりも暗い第２の明るさで点灯させるための調光コマンドとのセットが複数含まれたが、これに限られない。通信確認コマンドは、照明器具３０を第１の明るさで点灯させるための調光コマンドと、照明器具３０を第２の明るさで点灯させるための調光コマンドとの１セットであってもよいし、いずれか一つの調光コマンドだけであってもよい。さらに、通信確認コマンドは、照明器具３０の明るさをフェードさせる（徐々に明るくする、あるいは、徐々に暗くする）調光コマンドであってもよい。通信確認コマンドとしては、照明器具３０を所定の点灯状態（予め定められた目視可能な点灯状態）にさせる少なくとも一つの調光コマンドであればよい。
【００６９】
また、上記実施の形態では、照明器具３０の制御部３４は、２つの動作モード（通常モードＳ１及び通信確認モードＳ２）を有したが、３つ以上の動作モードを有してもよい。例えば、制御部３４は、操作コントローラ４０から送信されてくる各種メンテナンス用コマンドに従って光源３６を調光する動作モード（メンテナンスモード）を有してもよい。
【符号の説明】
【００７０】
１０  照明システム
２０  調光コントローラ
３０  照明器具
３２  無線通信部
３３  赤外線受信部
３４  制御部
３５  記憶部
３６  光源
４０  操作コントローラ
【図１】
0006516220.tif 000002
【図２】
0006516220.tif 000003
【図３】
0006516220.tif 000004
【図４】
0006516220.tif 000005
【図５】
0006516220.tif 000006